(57)【要約】【課題】  外部同期モードを使用しない場合であっても、スムーズに表示画像を表示できる「情報処理装置」、「システム」、「表示方法」および「プログラム」を提供する。【解決手段】  表示装置３は、外部から入力された映像信号の取り込み完了情報を取得するキャプチャー回路３１と、第１画像信号の取り込み完了情報と、第１画像信号と第１画像信号に合成する第２画像信号とを含む表示画像信号の表示タイミング情報とに基づいて、表示画像の表示ライン数を調整するための補正値を生成するタイミング判定部３２と、タイミング判定部３２によって生成された補正値に基づいて、表示画像信号の表示タイミング情報を生成する表示タイミング生成回路３３と、表示画像信号を格納するメモリ３５と、表示タイミング情報に基づいて、メモリ３５から表示画像信号を読み出す表示出力回路３４とを有する。【選択図】        図２
2006030389.tif 000002
【特許請求の範囲】
【請求項１】
外部から入力された第１画像信号の取り込み完了情報を取得する取得部と、
前記第１画像信号の取り込み完了情報と、前記第１画像信号と前記第１画像信号に合成する第２画像信号とを含む表示画像信号の表示タイミング情報とに基づいて、前記表示画像の表示ライン数を調整するための補正値を生成する生成部と
を有することを特徴とする情報処理装置。
【請求項２】
前記情報処理装置は更に、前記生成部によって生成された補正値に基づいて、前記表示画像信号の表示タイミング情報を生成するタイミング情報生成部を有することを特徴とする請求項１記載の情報処理装置。
【請求項３】
前記情報処理装置は更に、前記表示画像信号を格納するメモリを有することを特徴とする請求項１または請求項２記載の情報処理装置。
【請求項４】
前記情報処理装置は更に、前記生成部によって生成された補正値に基づいて、前記表示画像信号の表示タイミング情報を生成するタイミング情報生成部と、
前記表示画像信号を格納するメモリと、
前記表示タイミング情報に基づいて、前記メモリから前記表示画像信号を読み出す読み出し部と
を有することを特徴とする請求項１記載の情報処理装置。
【請求項５】
前記第１画像信号の取り込み完了情報は、前記第１画像信号の垂直同期信号であることを特徴とする請求項１から請求項４のいずれか一項に記載の情報処理装置。
【請求項６】
前記表示ライン数は、前記表示画像信号における非表示領域の表示ライン数であることを特徴とする請求項１から請求項５のいずれか一項に記載の情報処理装置。
【請求項７】
チューナと、該チューナから入力された第１画像信号に第２画像信号を合成して出力する情報処理装置とを備えるシステムであって、
前記情報処理装置は、請求項１から請求項６のいずれか一項に記載の情報処理装置であるシステム。
【請求項８】
外部から入力された第１画像信号の取り込み完了情報を取得するステップと、
前記第１画像信号の取り込み完了情報と、前記第１画像信号と前記第１画像信号に合成する前記第２画像信号とを含む表示画像信号の表示タイミング情報とに基づいて、前記表示画像の表示ライン数を調整するための補正値を生成するステップと
を有することを特徴とする表示方法。
【請求項９】
前記表示方法は更に、前記補正値に基づいて、前記表示画像信号の表示タイミング情報を生成するステップを有することを特徴とする請求項８記載の表示方法。
【請求項１０】
外部から入力された第１画像信号の取り込み完了情報を受け付けるステップ、
前記第１画像信号の取り込み完了情報に基づいて、前記第１画像信号と前記第１画像信号に合成する第２画像信号とを含む表示画像の表示ライン数を調整するための補正値を生成するステップをコンピュータに実行させるためのプログラム。
【発明の詳細な説明】
【技術分野】
【０００１】
本発明は、情報処理装置、システム、表示方法およびプログラムに関する。
【背景技術】
【０００２】
従来、例えばＴＶチューナ等の外部から入力されたビデオ信号を表示する表示装置が提案されている。このような表示装置ではＴＶチューナから入力されたビデオ信号から同期信号を分離してこの同期信号に従ってビデオ信号のタイミングを調整するようにしている。またビデオ信号の表示タイミングを調整する一般的な従来技術として特許文献１記載の装置が提案されている。
【０００３】
特許文献１記載の装置は、ＬＣＤパネルをＣＲＴのタイミングで動作させることはできないので、一度パーソナルコンピュータから送られたビデオ信号をフレームバッファメモリに蓄えておき、それを読み出してＬＣＤパネル上に表示することで、ＣＲＴの表示タイミングでＬＣＤパネルを動作させるというものである。
【０００４】
【特許文献１】特開平５−１１７２０号公報
【発明の開示】
【発明が解決しようとする課題】
【０００５】
しかしながら、ビデオ信号が例えばＴＶチューナから入力される場合、電波の受信が不完全であると、ＨＳＹＮＣ信号（水平同期信号）とＶＳＹＮＣ信号（垂直同期信号）を正確に検出できないことがある。表示装置が、外部同期モードを用いて、ビデオ入力元のＨＳＹＮＣ信号、ＶＳＹＮＣ信号に同期した表示タイミングで表示画像信号を表示する場合、ビデオ信号に合成して表示するメニュー等の表示も乱れてしまう。
【０００６】
また、表示装置が外部同期モードを使用しないで、ビデオ信号にメニュー等の画像信号を合成して表示画像信号を表示する場合、表示装置側の表示タイミングが乱れることは無いが、表示画像信号の表示タイミングと、ビデオ入力元の入力タイミングとが非同期となるため、表示画像が徐々にずれてしまう。この結果、ビデオ入力画面の表示コマ落ちや、同じ入力画像を２度表示することになり、表示画像をスムーズに表示できないという問題がある。また、特許文献１記載の装置では電波の受信が不完全であるような場合は考慮されていない。
【０００７】
そこで、本発明はこれらの問題を解決するためになされたもので、外部同期モードを使用しない場合であっても、表示画像をスムーズに表示できる情報処理装置、システム、表示方法およびプログラムを提供することを目的とする。
【課題を解決するための手段】
【０００８】
上記課題を解決するために、本発明は、外部から入力された第１画像信号の取り込み完了情報を取得する取得部と、前記第１画像信号の取り込み完了情報と、前記第１画像信号と前記第１画像信号に合成する第２画像信号とを含む表示画像信号の表示タイミング情報とに基づいて、前記表示画像の表示ライン数を調整するための補正値を生成する生成部とを有することを特徴とする情報処理装置である。
【０００９】
本発明によれば、第１画像信号の取り込み完了情報と、表示画像信号の表示タイミング情報とに基づいて、表示画像の表示ライン数を調整するための補正値を生成することで、第１画像信号の取り込みタイミングと、表示画像信号の出力タイミングを同期させることができる。したがって、例えばビデオ入力画像の表示コマ落ちや、同じ入力画像を２度表示するようなことがなくなり、外部同期モードを使用しない場合であっても、表示画像がスムーズに表示される。
【００１０】
本発明は、上記構成において、更に、前記生成部によって生成された補正値に基づいて、前記表示画像信号の表示タイミング情報を生成するタイミング情報生成部を有することを特徴とする。本発明によれば、第１画像信号の取り込み完了情報と、表示画像信号の表示タイミング情報とを考慮した補正値に基づいて、表示タイミング情報を生成することで、第１画像信号の取り込みタイミングと、表示画像信号の出力タイミングを同期させることができる。
【００１１】
本発明は、上記構成において、更に、前記表示画像信号を格納するメモリを有することを特徴とする。
【００１２】
本発明は、上記構成において、更に、前記生成部によって生成された補正値に基づいて、前記表示画像信号の表示タイミング情報を生成するタイミング情報生成部と、前記表示画像信号を格納するメモリと、前記表示タイミング情報に基づいて、前記メモリから前記表示画像信号を読み出す読み出し部とを有することを特徴とする。本発明によれば、第１画像信号の取り込み完了情報と、表示画像信号の表示タイミング情報とを考慮した表示タイミング情報に基づいて、表示ライン数を基準値から増減させた表示画像信号を生成し、第１画像信号の取り込みタイミングと、表示画像信号の出力タイミングを同期させることができる。
【００１３】
本発明は、上記構成において、前記第１画像信号の取り込み完了情報は、前記第１画像信号の垂直同期信号であることを特徴とする。本発明によれば、記第１画像信号の垂直同期信号と、表示画像信号の表示タイミング情報に基づいて、表示画像の表示ライン数を調整するための補正値を生成できる。
【００１４】
本発明は、上記構成において、前記表示ライン数は、前記表示画像信号における非表示領域の表示ライン数である。本発明によれば、表示画像信号における非表示領域の表示ライン数を調整するので、表示装置に映し出されている表示画像には影響がない。
【００１５】
本発明は、チューナと、該チューナから入力された第１画像信号に第２画像信号を合成して出力する情報処理装置とを備えるシステムであって、前記情報処理装置は、上記情報処理装置により構成されるシステムである。本発明によれば、チューナから入力された第１画像信号の取り込みタイミングと、表示画像信号の出力タイミングを同期させたシステムを提供することができる。したがって、例えばビデオ入力画像の表示コマ落ちや、同じ入力画像を２度表示するようなことがなくなり、表示画像がスムーズに表示される。
【００１６】
本発明は、外部から入力された第１画像信号の取り込み完了情報を取得するステップと、前記第１画像信号の取り込み完了情報と、前記第１画像信号と前記第１画像信号に合成する前記第２画像信号とを含む表示画像信号の表示タイミング情報とに基づいて、前記表示画像の表示ライン数を調整するための補正値を生成するステップとを有することを特徴とする表示方法である。
【００１７】
本発明によれば、第１画像信号の取り込み完了情報と、表示画像信号の表示タイミング情報とに基づいて、表示画像の表示ライン数を調整するための補正値を生成することで、表示ライン数を増減させた表示画像信号を生成し、第１画像信号の取り込みタイミングと、表示画像信号の出力タイミングを同期させることができる。したがって、例えばビデオ入力画像の表示コマ落ちや、同じ入力画像を２度表示するようなことがなくなり、表示画像がスムーズに表示される。
【００１８】
本発明は、上記構成において、更に、前記補正値に基づいて、前記表示画像信号の表示タイミング情報を生成するステップを有することを特徴とする。本発明によれば、第１画像信号の取り込み完了情報と、表示画像信号の表示タイミング情報とを考慮した補正値に基づいて、表示タイミング情報を生成することで、表示画像の表示ライン数を調整することができる。
【００１９】
本発明は、外部から入力された第１画像信号の取り込み完了情報を受け付けるステップ、前記第１画像信号の取り込み完了情報に基づいて、前記第１画像信号と前記第１画像信号に合成する第２画像信号とを含む表示画像の表示ライン数を調整するための補正値を生成するステップをコンピュータに実行させるためのプログラムである。本発明によれば、第１画像信号の取り込み完了情報と、表示画像信号の表示タイミング情報とに基づいて、表示画像の表示ライン数を調整するための補正値を生成することで、第１画像信号の取り込みタイミングと、表示画像信号の出力タイミングを同期させることができる。したがって、例えばビデオ入力画像の表示コマ落ちや、同じ入力画像を２度表示するようなことがなくなり、表示画像がスムーズに表示される。
【発明の効果】
【００２０】
本発明によれば、外部同期モードを使用しない場合でも、表示画像をスムーズに表示できる情報処理装置、システム、表示方法およびプログラムを提供できる。
【発明を実施するための最良の形態】
【００２１】
以下、本発明を実施するための最良の形態について説明する。
【実施例】
【００２２】
図１は本実施例に係るシステム１の概要を示す図である。図１に示すように、システム１は、ＴＶチューナ２および表示装置３を備える。ＴＶチューナ２は、アンテナ等を含み、映像信号を取り込む。ＴＶチューナ２は映像信号を例えば５９．９Ｈｚで表示装置３に送る。表示装置３は、ＴＶチューナ２からの映像信号にメニュー等の画像信号を合成して表示画像をディスプレイに表示する。
【００２３】
図２は、本実施例に係る表示装置３のブロック図である。図２に示すように、表示装置３は、キャプチャー回路３１、タイミング判定部３２、表示タイミング生成回路３３、表示出力回路３４、メモリ３５を含む。キャプチャー回路３１は、ＴＶチューナ２からの映像信号（第１画像信号）を取り込み、この映像信号をメモリ３５に送るとともに、映像信号の１フレーム分の取り込み完了情報（ＶＳＹＮＣ信号：垂直同期信号）をタイミング判定部３２に送る。ここで、キャプチャー回路３１は、例えば１６．７ｍｓ（５９．９Ｈｚ）の間隔でＶＳＹＮＣ信号をタイミング判定部３２に送る。メモリ３５は、外部から入力された取り込み映像信号（第１画像信号）と、この映像信号に合成するメニュー等の画像信号（第２画像信号）とを含む表示画像信号を格納する。メニューは例えばナビゲーション装置における目的地設定等のメニュー等である。
【００２４】
タイミング判定部３２は、キャプチャー回路３１からの映像信号の取り込み完了情報と、表示画像信号の表示タイミング情報とに基づいて、表示画像の表示ライン数を調整するための補正値を生成する。ここで、表示画像信号の表示タイミング情報には、表示出力のＶＳＹＮＣ信号（垂直同期信号）の時刻が含まれる。
【００２５】
タイミング判定部３２は、映像信号の取り込みタイミングに対して、表示画像信号の表示タイミングが進んでいる時は、表示画像の表示ライン数を増加させるような補正値を生成する。逆に、タイミング判定部３２は、映像信号の取り込みタイミングに対して、表示画像信号の表示タイミングが遅れている場合は、表示画像の表示ライン数を減少させる補正値を生成する。タイミング判定部３２は、例えば、表示ラインの増加量を、表示画面に影響しない範囲で、増加分、減少分、何もしない場合の３値を生成する。これら３値の出力頻度により、表示ライン１ライン分のずれに満たないような微妙なタイミングのずれが補正される。なお、表示画像の表示ライン数は表示領域のライン数であってもよいし、非表示領域のライン数であってもよい。
【００２６】
表示タイミング生成回路３３は、タイミング判定部３２からの補正値に基づいて、表示画像信号の表示タイミング情報を生成する。表示出力回路３４は、表示タイミング生成回路３３が生成した表示タイミング情報と、メモリ３５から読み出した表示画像信号とに基づいて、表示ライン数を基準値から増減させた表示画像信号を生成し、生成した表示画像信号をディスプレイに出力する。これにより、第１画像信号の取り込みタイミングと、表示画像信号の出力タイミングを同期させることができる。
【００２７】
次に、表示装置３の動作について説明する。図３は、表示装置３の動作フローチャートである。ステップＳ１で、キャプチャー回路３１にＴＶチューナ２から映像信号が入力される。ステップＳ２で、キャプチャー回路３１は、映像信号をメモリ３５に格納する。ステップＳ３で、タイミング判定部３２は、映像信号の取り込み完了情報と表示画像信号の表示タイミング情報に基づいて、表示タイミングの補正値を生成する。ステップＳ４で、表示タイミング生成回路３３は、タイミング判定部３２が生成した表示タイミングの補正値に基づいて表示タイミング情報を生成する。
【００２８】
ステップＳ５で、表示出力回路３４は、表示タイミング生成回路３３が生成した表示タイミング情報に基づいて、表示ライン数を基準値から増減させた表示画像信号を生成し、ディスプレイに出力する。これにより、映像信号の取り込み完了タイミングと表示画像信号の出力タイミングを同期させることができる。
【００２９】
次に、表示画像の表示ライン数を調整するための補正値を生成する際の動作について説明する。図４は、表示画像の表示ライン数を調整するための補正値を生成する際の動作フローチャートである。ステップＳ３１で、タイミング判定部３２は、映像信号の取り込み完了情報と表示画像信号の表示タイミング情報とを比較して、両者が同じ場合、ステップＳ３２で、表示画像の表示ライン数を基準値から変更しないような補正値を生成する。ステップＳ３２で、タイミング判定部３２は、映像信号の取り込み完了情報と表示画像信号の表示タイミング情報とを比較して、映像信号の取り込みタイミングに対して、表示画像信号の表示タイミングが進んでいる場合には、ステップＳ３４で、表示画像の表示ライン数が１ライン増加するような補正値を生成する。
【００３０】
ステップＳ３５で、タイミング判定部３２は、映像信号の取り込み完了情報と表示画像信号の表示タイミング情報とを比較して、映像信号の取り込みタイミングに対して、表示画像信号の表示タイミングが遅れている場合には、ステップＳ３６で、表示画像の表示ライン数が１ライン減少するような補正値を生成する。これにより、表示画面信号の表示ライン数を調整しながら、映像信号の取り込み完了タイミングと、表示画像信号の出力タイミングを同期させることができる。
【００３１】
次に、表示装置３の表示タイミングを説明する。図５は（ａ）はキャプチャー回路３１の取り込み完了情報に基づく取り込みタイミングを示す図、同図（ｂ）は表示タイミング生成回路３３が生成する表示タイミング情報に基づく表示タイミングを示す図である。
【００３２】
（１）の時点で、タイミング判定部３２は、映像信号の取り込み完了情報と表示画像信号の表示タイミング情報とを比較した結果、映像信号の取り込みタイミングと表示画像信号の表示タイミングが合っているので、これに応じた表示タイミングの補正値を生成し、表示タイミング生成回路３３は、タイミング判定部３２が生成した表示タイミングの補正値に基づいて表示タイミング情報を生成し、表示出力回路３４は、表示タイミング生成回路３３が生成した表示タイミング情報に基づいて、表示ライン数を基準値から増減させた表示画像信号を生成する。（２）の時点では、映像信号の取り込み完了タイミングと表示タイミングがずれてしまう。
【００３３】
（２）の時点で、タイミング判定部３２は、映像信号の取り込み完了情報と表示画像信号の表示タイミング情報とを比較した結果、映像信号のタイミングに対して、表示画像信号の表示タイミングが進んでいる時は、表示画像信号の非表示領域の表示ライン数を増加させるような補正値を生成し、表示タイミング生成回路３３は、タイミング判定部３２が生成した補正値に基づいて、表示タイミング情報を生成し、表示出力回路３４は、表示タイミング生成回路３３が生成した表示タイミング情報に基づいて、表示ライン数を基準値から増加させた表示画像信号を生成し、ディスプレイに表示画像信号を出力する。これにより、表示画像信号の表示タイミングを遅らせることができるので、（３）の時点では、映像信号の取り込み完了タイミングと表示画像信号の表示タイミングが近づく。
【００３４】
また、タイミング判定部３２は、（４）の時点のように、映像信号の取り込み完了情報と表示画像信号のタイミング情報を比較した結果、映像信号の取り込みタイミングに対して、表示画面の表示タイミングが遅れている場合は、これに応じた表示タイミングの補正値を生成し、表示タイミング生成回路３３は、タイミング判定部３２が生成した表示タイミングの補正値に基づいて、表示タイミング情報を生成し、表示出力回路３４は、表示タイミング生成回路３３が生成した表示タイミング情報に基づいて、表示ライン数を基準値から減少させた表示画像信号を生成し、生成した表示画像信号をディスプレイに出力する。これにより、時点（５）に示すように、表示画像の表示タイミングを早めることができる。
【００３５】
このように、ダイナミックに表示画像の表示ライン数を増減することで、平均的な表示タイミングをビデオ入力のタイミングに一致させる。また、増減の範囲を表示装置３の表示が乱れない範囲内にすることで、ビデオ入力の乱れに影響されない表示を実現できる。
【００３６】
以上本実施例によれば、映像信号の取り込み完了情報と、表示画像信号の表示タイミング情報とに基づいて、表示画像の表示ライン数を調整するための補正値を生成することで、表示画像の表示ライン数を増減させて、映像信号の取り込みタイミングと、表示画像信号の出力タイミングを同期させることができる。これにより、画像の表示コマ落ちや、同じ入力画像を２度表示するようなことがなくなり、表示がスムーズにされる。また、タイミング判定部３２はソフトウエアにより実現することで、付加的なハードを使用しないので、コストを低く抑えることができる。
【００３７】
なお、表示装置３は、例えば、ＣＰＵ（Central Processing Unit）、ＲＯＭ(Read Only Memory)、ＲＡＭ(Random Access Memory)等を用いて実現され、プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、タイミング判定部３２の機能や、本発明による表示方法の各ステップが実現される。所定のプログラムが外部から入力された第１画像信号の取り込み完了情報を受け付けるステップ、第１画像信号の取り込み完了情報に基づいて、第１画像信号と第１画像信号に合成する第２画像信号とを含む表示画像の表示ライン数を調整するための補正値を生成するステップをＣＰＵに実行させることで、タイミング判定部３２の機能を実現できる。なお、ソフトウエアでなくハードウエアでタイミング判定部３２の機能を実現してもよい。
【００３８】
なお、本実施例では、外部から入力される画像の例としてＴＶチューナ２から入力される映像信号を例にとって説明したが、本発明はこれに限定されることなく、例えばデジタルカメラやパーソナルコンピュータから送られてくる画像信号であってもよい。外部から入力される画像は、動画、静止画のいずれであってもよい。また表示装置３は例えばパーソナルコンピュータやナビゲーション装置に組み込まれる。
【００３９】
なお、キャプチャー回路３１、タイミング判定部３２、表示タイミング生成回路３３、表示出力回路３４、ＴＶチューナ２、表示装置３が特許請求の範囲における取得部、生成部、タイミング情報生成部、読み出し部、チューナ、情報処理装置にそれぞれ対応する。
【００４０】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００４１】
【図１】本実施例に係るシステム１の概要を示す図である。
【図２】本実施例に係る表示装置３のブロック図である。
【図３】表示装置３の動作フローチャートである。
【図４】表示画像の表示ライン数を調整するための補正値を生成する際の動作フローチャートである。
【図５】（ａ）はキャプチャー回路３１の取り込み完了情報に基づく取り込みタイミングを示す図、（ｂ）は表示タイミング生成回路３３が生成する表示タイミング情報に基づく表示タイミングを示す図である。
【符号の説明】
【００４２】
１  システム
２  ＴＶチューナ
３  表示装置
３１  キャプチャー回路
３２  タイミング判定部
３３  表示タイミング生成回路
３４  表示出力回路
３５  メモリ
【図１】
2006030389.tif 000003
【図２】
2006030389.tif 000004
【図３】
2006030389.tif 000005
【図４】
2006030389.tif 000006
【図５】
2006030389.tif 000007